(57)【要約】【課題】コンパクトな装置であり、ストレージ製品等のファンの定常的な騒音に対してリアルタイムで効率的なノイズ・キャンセル効果を発揮するファン騒音減音装置を提供する。【解決手段】マイクロホン２が取得したファン１が発する音を、オーディオＣＯＤＥＣ３によりデジタルのファン音データに変換して、第１のリングバッファ５に順次格納し、ここから読み出したファン音データをバンド・パス・フィルタ６により波形成形して第２のリングバッファ７に順次格納し、ここから読み出したファン音データを逆位相音生成手段８により逆位相音データに変換し、オーディオＣＯＤＥＣ３によりアナログの逆位相音信号に変換し、スピーカ１０から逆位相音として出力してファン音を打ち消して減音させる。【選択図】図１
2011048098.tif 000002
【特許請求の範囲】
【請求項１】
ファンが発する音を取得するマイクロホンと、マイクロホンから出力されるアナログのファン音信号をデジタルのファン音データに変換するコーデック手段と、前記ファン音データが一定時間間隔で順次格納される第１のリングバッファと、該第１のリングバッファから読み出された前記ファン音データを波形成形して順次格納する第２のリングバッファと、該第２のリングバッファから読み出されたファン音データを逆位相音データに変換する逆位相音生成手段と、前記逆位相音データをアナログの逆位相音信号に変換する前記コーデック手段と、前記逆位相音信号を逆位相音として出力するスピーカとを備え、前記ファン音を前記スピーカからの逆位相音で打ち消して減音することを特徴とするファン騒音減音装置。
【請求項２】
第１のリングバッファと、逆位相音生成手段と、第２のリングバッファとはデジタルシグナルプロセッサ内に備えられることを特徴とする請求項１記載のファン騒音減音装置。
【請求項３】
前記デジタルシグナルプロセッサは、ファン音データを周波数分析して最大音量周波数を検出する音声周波数解析手段を備えることを特徴とする請求項２記載のファン騒音減音装置。
【請求項４】
前記デジタルシグナルプロセッサは、共振周波数を最大音量周波数に設定するバンド・パス・フィルタを備えて第１のリングバッファから読み出されたファン音データを波形成形することを特徴とする請求項３記載のファン騒音減音装置。
【請求項５】
デジタルシグナルプロセッサの逆位相音生成手段は、ファン音データの最大音量周波数の半波長を算出し前記ファン音データを半波長変位させてファン音を打ち消す逆位相音信号を生成することを特徴とする請求項２から４の何れかに記載のファン騒音減音装置。
【請求項６】
デジタルシグナルプロセッサは、予め設定された正弦波信号をスピーカから出力しつつ当該正弦波信号をマイクロホンから入力して、マイクロホン入力に対するスピーカ出力の音量差及びディレイ量を検出し、音量差及びディレイ量を減少させるべくスピーカ出力を設定するキャリブレーション手段を備えることを特徴とする請求項２から５の何れかに記載のファン騒音減音装置。
【請求項７】
第１のリングバッファはファン音データの最大音量周波数の５周期分を順次格納することを特徴とする請求項１から６の何れかに記載のファン騒音減音装置。
【請求項８】
マイクロホンが取得したファンが発する音を、アナログ信号をデジタル信号に変換するコーデック手段によりデジタルのファン音データに変換し、該ファン音データを第１のリングバッファに一定時間間隔で順次格納し、該第１のリングバッファから読み出したファン音データを波形成形して第２のリングバッファに順次格納し、該第２のリングバッファから読み出したファン音データを逆位相音生成手段により逆位相音データに変換し、該逆位相音データを前記コーデック手段によりアナログの逆位相音信号に変換し、該逆位相音信号をスピーカから逆位相音として出力して前記ファン音を打ち消して減音させることを特徴とするファン騒音減音方法。
【請求項９】
第１のリングバッファと、逆位相音生成手段と、第２のリングバッファとをデジタルシグナルプロセッサ内に備えることを特徴とする請求項８記載のファン騒音減音方法。
【請求項１０】
前記デジタルシグナルプロセッサに備えた音声周波数解析手段により、ファン音データを周波数分析して最大音量周波数を検出することを特徴とする請求項９記載のファン騒音減音方法。
【請求項１１】
前記デジタルシグナルプロセッサに備えた共振周波数を最大音量周波数に設定するバンド・パス・フィルタにより、第１のリングバッファから読み出されたファン音データを波形成形することを特徴とする請求項１０記載のファン騒音減音方法。
【請求項１２】
デジタルシグナルプロセッサの逆位相音生成手段により、ファン音データの最大音量周波数の半波長を算出し前記ファン音データを半波長変位させてファン音を打ち消す逆位相音信号を生成することを特徴とする請求項９から１１の何れかに記載のファン騒音減音方法。
【請求項１３】
デジタルシグナルプロセッサに備えたキャリブレーション手段により、予め設定された正弦波信号をスピーカから出力しつつ当該正弦波信号をマイクロホンから入力して、マイクロホン入力に対するスピーカ出力の音量差及びディレイ量を検出し、音量差及びディレイ量を減少させるべくスピーカ出力を設定することを特徴とする請求項９から１２の何れかに記載のファン騒音減音方法。
【発明の詳細な説明】
【技術分野】
【０００１】
本発明は、送風手段等としてストレージ製品等の各種機器に用いられるファンから一定の音で発生する騒音を減音することができるファン騒音減音装置及びその方法に関するものである。
【背景技術】
【０００２】
ファンはストレージ製品等の各種機器に使用されており、多くは機器内部の温度上昇を防ぐために、外部の空気を機器内部に取り入れて機器内を冷却し、暖まった空気を外部に排気するものである。そして、ファンは機器の動作中は常時送風し続けることから、ファンによるモーター音、風切音等が常に機器の周囲に発生していた。
【０００３】
室内等の人が存在している環境でこのような機器が設置されている場合には、ファンによるモーター音や風切音は、一定の音で鳴り続けて（回転数が変化することもあるが、ある期間は一定の回転数となる）耳障りであり、室内等にいる人にとって作業環境を悪化させる騒音となっていた。
このファンによる騒音が機器外部に漏れ出ないようにするために、ファンを防音壁で塞ぐことが考えられたが、この防音壁は騒音だけでなくファンによる空気の流れも遮ることから、ファンと防音壁との間で熱が循環して冷却効率が低下するという問題があった。
そこで、騒音に対して逆位相かつ同振幅のキャンセル音を当てて騒音を減音させるアクティブ・ノイズ・キャンセル装置を利用することも考えられている（特許文献１参照）。
【先行技術文献】
【特許文献】
【０００４】
【特許文献１】特開平５−６１４９０号公報
【発明の概要】
【発明が解決しようとする課題】
【０００５】
しかしながら、上記特許文献１のアクティブ・ノイズ・キャンセル装置は、ダクト等の通路内の非定常的な騒音を消音するために、ＦＩＲフィルタを使用して多数本のマイクロホンを使用する大掛かりな構成であり、機器内部や機器の近傍に設置することができず、またファンの定常的な騒音に対してリアルタイムで好適なノイズ・キャンセル効果を発揮することができなかった。
【０００６】
本発明は、このような実情に鑑みてなされたものであり、機器内部や機器の近傍に簡単に設置することができるコンパクトな装置で、ファンの定常的な騒音に対してリアルタイムで効率的なノイズ・キャンセル効果を発揮することができるファン騒音減音装置及びその方法を提供しようとするものである。
【課題を解決するための手段】
【０００７】
上記解決課題は、下記の各発明によって解決することができる。
すなわち、本発明のファン騒音減音装置は、ファンが発する音を取得するマイクロホンと、マイクロホンから出力されるアナログのファン音信号をデジタルのファン音データに変換するコーデック手段と、前記ファン音データが一定時間間隔で順次格納される第１のリングバッファと、該第１のリングバッファから読み出された前記ファン音データを波形成形して順次格納する第２のリングバッファと、該第２のリングバッファから読み出されたファン音データを逆位相音データに変換する逆位相音生成手段と、前記逆位相音データをアナログの逆位相音信号に変換する前記コーデック手段と、前記逆位相音信号を逆位相音として出力するスピーカとを備え、前記ファン音を前記スピーカからの逆位相音で打ち消して減音することを特徴とする。
【０００８】
また、本発明のファン騒音減音装置は、第１のリングバッファと、逆位相音生成手段と、第２のリングバッファとはデジタルシグナルプロセッサ内に備えられることを特徴とする。
これにより、ファン騒音減音装置としてはデジタルシグナルプロセッサを備えることで多くの処理を行うことができる。
【０００９】
また、本発明のファン騒音減音装置において、前記デジタルシグナルプロセッサは、ファン音データを周波数分析して最大音量周波数を検出する音声周波数解析手段を備えることを特徴とする。
【００１０】
また、本発明のファン騒音減音装置において、前記デジタルシグナルプロセッサは、共振周波数を最大音量周波数に設定するバンド・パス・フィルタを備えて第１のリングバッファから読み出されたファン音データを波形成形することを特徴とする。
【００１１】
また、本発明のファン騒音減音装置において、デジタルシグナルプロセッサの逆位相音生成手段は、ファン音データの最大音量周波数の半波長を算出し前記ファン音データを半波長変位させてファン音を打ち消す逆位相音信号を生成することを特徴とする。
これにより、逆位相音データを容易に生成することができる。
【００１２】
また、本発明のファン騒音減音装置において、デジタルシグナルプロセッサは、予め設定された正弦波信号をスピーカから出力しつつ当該正弦波信号をマイクロホンから入力して、マイクロホン入力に対するスピーカ出力の音量差及びディレイ量を検出し、音量差及びディレイ量を減少させるべくスピーカ出力を設定するキャリブレーション手段を備えることを特徴とする。
これにより、適正な音量でかつ時間遅れのない逆位相音を容易に設定することができる。
【００１３】
また、本発明のファン騒音減音装置において、第１のリングバッファはファン音データの最大音量周波数の５周期分を順次格納することを特徴とする。
【００１４】
本発明のファン騒音減音方法は、マイクロホンが取得したファンが発する音を、アナログ信号をデジタル信号に変換するコーデック手段によりデジタルのファン音データに変換し、該ファン音データを第１のリングバッファに一定時間間隔で順次格納し、該第１のリングバッファから読み出したファン音データを波形成形して第２のリングバッファに順次格納し、該第２のリングバッファから読み出したファン音データを逆位相音生成手段により逆位相音データに変換し、該逆位相音データを前記コーデック手段によりアナログの逆位相音信号に変換し、該逆位相音信号をスピーカから逆位相音として出力して前記ファン音を打ち消して減音させることを特徴とする。
【００１５】
また、本発明のファン騒音減音方法は、第１のリングバッファと、逆位相音生成手段と、第２のリングバッファとをデジタルシグナルプロセッサ内に備えることを特徴とする。
【００１６】
また、本発明のファン騒音減音方法は、前記デジタルシグナルプロセッサに備えた音声周波数解析手段により、ファン音データを周波数分析して最大音量周波数を検出することを特徴とする。
【００１７】
また、本発明のファン騒音減音方法は、前記デジタルシグナルプロセッサに備えた共振周波数を最大音量周波数に設定するバンド・パス・フィルタにより、第１のリングバッファから読み出されたファン音データを波形成形することを特徴とする。
【００１８】
また、本発明のファン騒音減音方法は、デジタルシグナルプロセッサの逆位相音生成手段により、ファン音データの最大音量周波数の半波長を算出し前記ファン音データを半波長変位させてファン音を打ち消す逆位相音信号を生成することを特徴とする。
【００１９】
また、本発明のファン騒音減音方法は、デジタルシグナルプロセッサに備えたキャリブレーション手段により、予め設定された正弦波信号をスピーカから出力しつつ当該正弦波信号をマイクロホンから入力して、マイクロホン入力に対するスピーカ出力の音量差及びディレイ量を検出し、音量差及びディレイ量を減少させるべくスピーカ出力を設定することを特徴とする。
【発明の効果】
【００２０】
以上、説明したように、本発明によれば、ファンの定常的な騒音に対してほぼリアルタイムで好適なノイズ・キャンセル効果を発揮することができるファン騒音減音装置及び方法を提供することができる。
【図面の簡単な説明】
【００２１】
【図１】本発明の実施の形態に係るファン騒音減音装置のシステム構成図である。
【図２】本発明のファン騒音減音装置におけるファン騒音減音の流れを示すフローである。
【図３】本発明のファン騒音減音装置におけるキャリブレーション処理を示すフローである。
【図４】本発明のファン騒音減音装置における割り込み処理を示すフローである。
【図５】ファン騒音の入力から逆位相音の出力までを説明する説明図である。
【図６】ファン騒音の波形を示す説明図である。
【発明を実施するための形態】
【００２２】
以下、図面を参照しながら、本発明のファン騒音減音装置及びその方法を実施するための形態について詳細に説明する。図１〜図６は、本発明の実施の形態を例示する図であり、これらの図において、同一の符号を付した部分は同一物を表し、基本的な構成及び動作は同様であるものとする。
【００２３】
＜構成＞
図１は、本発明の実施形態に係るファン騒音減音装置のシステム構成図である。本発明のファン騒音減音装置は、ファン１から発せられる音を取得してアナログ電気信号に変換するマイクロホン２と、マイクロホン２から出力されるファン音のアナログ電気信号をデジタル信号に変換するオーディオＣＯＤＥＣ（符号化方式を使ってデータのエンコードとデコードを双方向に行う装置）３のＡ／Ｄ変換手段４と、Ａ／Ｄ変換手段４により変換されたファン音のデジタル信号を一定時間間隔で順次格納する第１のリングバッファ（バッファメモリを概念上環状で管理する制御法）５と、第１のリングバッファ５に格納したファン音データから最大音量周波数を検出し、その最大音量周波数に設定したバンド・パス・フィルタ６にファン音データを通して一定時間間隔で順次格納する第２のリングバッファ７と、第２のリングバッファ７に格納したファン音データから１８０度位相を変換した逆位相データを生成する逆位相音生成手段８と、この逆位相のデジタル信号データをアナログの電気信号に変換するオーディオＣＯＤＥＣ３のＤ／Ａ変換手段９と、オーディオＣＯＤＥＣ３のＤ／Ａ変換手段９によるアナログの電気信号を音に変換して出力するスピーカ１０とから構成される。
符号１１は、前記第１のリングバッファ５と、バンド・パス・フィルタ６と、第２のリングバッファ７と、逆位相音生成手段８とを備える、音声や画像等を処理するマイクロプロセッサであるＤＳＰ（デジタルシグナルプロセッサ）である。
【００２４】
＜動作＞
本発明の実施形態に係るファン騒音減音装置の動作について、図２〜図４を参照して説明する。
【００２５】
図２は、本発明の実施形態に係るファン騒音減音装置の動作フローであり、このフローは、ＤＳＰ１１により（１）音量振幅補正値算出と（２）ディレイ補正値算出のキャリブレーション処理（後述する）を行うステップ１と、
キャリブレーション処理が終了した後、ファン音データを格納するための割り込み処理を開始するステップであり、オーディオＣＯＤＥＣ３のＡ／Ｄ変換手段４によりマイクロホン２から出力されるファン音のアナログ電気信号をデジタル信号に変換するステップ２と、
ＤＳＰ１１により、デジタル化されたファン音データを第１のリングバッファ５に格納するステップ３と、
ＤＳＰ１１により、上記第１のリングバッファ５に格納されたファン音データが１００ｍｓｅｃ間（４３０Ｈｚのファン音波形の場合は４３周期分）格納されたか否かを判定するステップ４と、
ＤＳＰ１１により、ファン音データが第１のリングバッファ５に１００ｍｓｅｃ間格納されていない場合はステップ３に遷移してファン音データを格納し続け、ステップ４でファン音データの格納が完了した場合は、ＤＳＰ１１により１００ｍｓｅｃ間分のファン音データをＦＦＴ（高速フーリエ変換）処理による周波数解析を行って最大音量の周波数を検出するステップ５と、
ＤＳＰ１１により、最大音量周波数の正弦波信号波形を逆位相にするために、正弦波信号波形を半周期変位させる逆位相サンプリング・ポイント数を算出するステップ６（最大音量周波数が４３０Ｈｚの場合、４３０Ｈｚの１周期のオーディオＣＯＤＥＣ３のサンプリング・ポイント数は４８ＫＨｚ÷４３０Ｈｚ＝１１１．６２７ポイントであり、その半周期のポイント数は１１１．６２７ポイント÷２＝５５．８１３ポイントとなる）と、
ＤＳＰ１１により、１期間：４３０Ｈｚの５周期分の前記ファン音データをバンド・パス・フィルタ（通過させる共振周波数を４３０Ｈｚとする）６に通して、ファン音データから低周波と高周波のノイズを除去するステップ７と、
ＤＳＰ１１により、そのバンド・パス・フィルタ６に通したファン音データ（ほぼ正弦波に近い波形データになる）を第２のリングバッファ７に格納するステップ８と、
ＤＳＰ１１により、バンド・パス・フィルタ６を２期間以上（４３０Ｈｚの１０周期分以上）実行したかを判定するステップ９と、
ＤＳＰ１１により、バンド・パス・フィルタ６を２期間以上実行した場合は、ステップ７に戻り、２期間以上実行していない場合は、オーディオＣＯＤＥＣ３の割り込みのタイミングで逆位相音出力を許可してステップ７に遷移するステップ１０とからなる。
このＤＳＰ１１による逆位相音出力の許可により、前記第２のリングバッファ７に格納されたファン音データは、逆位相音生成手段８により前記半周期のポイント数５６ポイント分変位されて逆位相音となって、オーディオＣＯＤＥＣ３のＤ／Ａ変換手段９を経由してスピーカ１０から出力され、この逆位相音は、ステップ１０のＤＳＰ１１による逆位相音出力が許可されている期間中、継続して出力されるものである。
図６は、マイクロホンから出力されるファン音のオシロスコープ波形であり、これに示されるごとく、ファン音には一定周期の波形が観測されており、本実施例にあってはこの一定周期の波形が、ファン音の最大音量周波数の４３０Ｈｚに相当している。
【００２６】
このフローにより、一定音が多く含まれるファン騒音を効率的に減音するために、ファン騒音中の最大音量周波数を検出して、最大音量周波数を通過させるバンド・パス・フィルタ６を構成し、このバンド・パス・フィルタ６によりファン音から逆位相音を生成するための正弦波データを生成することができる。ファン騒音減音装置にリングバッファを用いることで、ファン音データを順次格納しながら、かつ格納されたデータをリアルタイムで順次読み出して逆位相音を生成し、オーディオＣＯＤＥＣ３を介してスピーカ１０から出力してファン騒音を減音させるものである。
【００２７】
図３は、前記ステップ２のキャリブレーション処理を詳述する動作フローである。
このフローは、ＤＳＰ１１により予め設定された周波数（例えば４４０Ｈｚ）の正弦波データを生成するステップ２１と、
ＤＳＰ１１により生成した正弦波データをオーディオＣＯＤＥＣ３のＤ／Ａ変換手段９によりアナログ音声信号に変換して、スピーカ１０から音を出力するステップ２２と、
スピーカ１０出力音と同期して、マイクロホン２がスピーカ出力音を入力するステップ２３と、
ＤＳＰ１１により、スピーカ１０の出力レベルとマイクロホン２入力レベルのレベル差（音量差）を正弦波振幅値（正弦波信号ｙ＝Ａｓｉｎ（ωｔ）のＡが振幅値）として算出する、ゲイン補正値算出のステップ２４と、
ＤＳＰ１１により、スピーカ１０出力とマイクロホン２入力のディレイ・サンプリング・ポイント数を算出（サンプリング周波数４８ＫＨｚ）する、ディレイ補正値算出のステップ２５とからなる。
このキャリブレーション処理により、ＤＳＰ１１がスピーカ出力値とマイクロホン入力値とを比較して、マイクロホン入力値に対するスピーカ出力値のレベルとディレイの設定を行うものである。
【００２８】
図４は、前記ステップ３のファン音データを第１のリングバッファ５に格納する割り込み処理動作を説明する動作フローである。
このフローは、ＤＳＰ１１によりオーディオＣＯＤＥＣ３のＡ／Ｄ変換手段４のファン音データを第１のリングバッファ５に格納するステップ３１と、
ＤＳＰ１１によりマイクロホン２から入力されるファン音データのサンプリング・ポイント数をカウントアップ（サンプリング周波数４８ＫＨｚで１００ｍｓｅｃの場合４８００ポイント）するステップ３２と、
前記ステップ１０のファン逆位相音出力が許可されているか否かを判定するステップ３３と、
ファン逆位相音出力が許可されている場合に、ＤＳＰ１１により第２のリングバッファ７に格納されている逆位相音をオーディオＣＯＤＥＣ３へ出力して、割り込み処理を終了するステップ３４とからなり、前記ステップ３３においてファン逆位相音出力が許可されていない場合には、そのまま割り込み処理を終了する。
このフローにより、ファン音データを第１のリングバッファ５に格納し、そのファン音から逆位相音を生成してオーディオＣＯＤＥＣ３のＤ／Ａ変換手段８に出力するまでの割り込み処理動作が行われる。
【００２９】
図５は、マイクロホン２が取得するファン音の波形から始まって、スピーカ１０から出力する逆位相音の波形に至るまでの、時系列の波形の成形・変位を説明する図であり、以下に流れに沿って説明する。
【００３０】
まず、ファン音を取得したマイクロホン２からのファン音データを、オーディオＣＯＤＥＣ３のＡ／Ｄ変換手段４によりサンプリング周波数４８ＫＨｚ（２０．８３３μｓｅｃ周期）でＡ／Ｄ変換しながら、１００ｍｓｅｃ間測定する。
【００３１】
そして、１００ｍｓｅｃ間のサンプリング・ポイント数である４８００ポイント数となったところで、周波数解析図１２に示すごとく、ＤＳＰ１１により高速フーリエ変換処理を用いて、最大音量周波数をサンプリング数で１１１ポイントに相当する時間（約２．３ｍｓｅｃ）で算出し、本実施例にあっては４３０Ｈｚを得る。
【００３２】
次に、ＤＳＰ１１により前記最大音量周波数の４３０Ｈｚから、前記Ａ／Ｄ変換手段４がＡ／Ｄ変換したファン音データを、４３０Ｈｚの５周期ごとに第１のリングバッファ５に順次格納する。
【００３３】
また、ＤＳＰ１１により、前記最大音量周波数の４３０Ｈｚを共振周波数とするバンド・パス・フィルタ６を設定して、第１のリングバッファ５から読み出したファン音データをこのバンド・パス・フィルタに通して４３０Ｈｚより下の低周波帯域と、４３０Ｈｚより上の高周波帯域の信号（ノイズ）を除去する。これにより、正弦波波形に近くなった４３０Ｈｚのファン音データを、前記同様に５周期ごとに第２のリングバッファ７に順次格納する。
【００３４】
そして、逆位相音生成手段８により、第２のリングバッファ７から４３０Ｈｚの正弦波に近くなったファン音データを順次読み出して、前記ステップ６で算出した４３０Ｈｚの半周期であるサンプリング・ポイント数の５６ポイント変位させ（遅らせ）、これにより前記ファン音データの位相を１８０度変位させた逆位相音データを得る。そして、ＤＳＰ１１によりこの逆位相音データをオーディオＣＯＤＥＣ３のＤ／Ａ変換手段９に送って逆位相音のアナログ信号に変換し、スピーカ１０からファン音と逆位相の音を出力し、ファン音のある空間内でファン音を打ち消して減音させるものである。
【００３５】
このように、本実施例のファン騒音減音装置は、ファン音のごとく一定音が連続する騒音に対して、ファン音の最大音量周波数に絞って逆位相音を生成することで効率的な減音処理を行えるとともに、リングバッファにファン音データを順次格納しつつ、順次読み出すファン音データをバンド・パス・フィルタ６で波形成形して逆位相に変換し、オーディオＣＯＤＥＣ３を介してスピーカ１０から逆位相音を出力するという、リングバッファを使用することによるほぼリアルタイムの減音処理を行うことができるものである。
【００３６】
そして、ファン騒音減音装置は減音処理を継続しながら、常にその減音作用を監視し、マイクロホン２から入力されるファン音の振幅（減音された結果）が低減する場合には、減音処理が効果的に作用しているとして、第２のリングバッファ７に格納された逆位相音データを用いてオーディオＣＯＤＥＣによる減音処理を継続する一方、マイクロホン２から入力されるファン音の振幅が増大する場合には、逆位相音が効果的にファン騒音を減音していないと判断して、改めて逆位相音データを生成するために、ステップ２からの割込処理を開始するものである。
また、マイクロホン２とスピーカ１０とによるハウリングの発生については、ＤＳＰ１１の機能として対処させることができる。
【００３７】
尚、上述した実施例にあっては、ファン音を打ち消す逆位相音を生成するのに、ファン音データを半周期分変位させる手段を用いたが、これに限定されることなく、ファン音データの位相を１８０度反転させる手段を用いてもよいものである。
【産業上の利用可能性】
【００３８】
本発明のファン騒音減音装置は、図１に示すように、コンピュータのＣＰＵ、メモリ、補助記憶装置、ディスプレイ、入力デバイス等を含むハードウェア資源上に構築されたＯＳ、アプリケーション、データベース、ネットワークシステム等によって実現されるものであり、ファン騒音減音処理が上記のハードウェア資源を用いて具体的に実現されるものであるから、自然法則を利用した技術的思想に該当するものであり、各種機器製造等の産業において利用することができるものである。
【符号の説明】
【００３９】
１  ファン
２  マイクロホン
３  オーディオＣＯＤＥＣ
４  Ａ／Ｄ変換手段
５  第１のリングバッファ
６  バンド・パス・フィルタ
７  第２のリングバッファ
８  逆位相音生成手段
９  Ｄ／Ａ変換手段
１０  スピーカ
１１  ＤＳＰ
１２  周波数解析図
【図２】
2011048098.tif 000003
【図３】
2011048098.tif 000004
【図４】
2011048098.tif 000005
【図５】
2011048098.tif 000006
【図１】
2011048098.tif 000007
【図６】
2011048098.tif 000008